(57)【特許請求の範囲】
【請求項１】
本体を建築物の躯体へ固定する為の本体の取付け面に、突出する固定部材を有し、前記本体の前記取付け面の反対面に外壁側取付け部を有し、前記外壁側取付け部は前記反対面に露出した木螺子用めねじ孔を有し、
前記本体は前記取付け面と前記反対面との間に断熱材を取付け可能な厚さを有し、
前記固定部材は本体と別体の木螺子から成り、本体に本体を貫通して本体の取付け面に垂直な取付け孔が設けられ、前記取付け孔は前記取付け面の側が前記固定部材の頭部より小さいが前記固定部材の先端側は挿入可能な内径を有し、前記反対面の側が前記固定部材の頭部を挿入可能な直径を有し、前記本体を躯体へ固定可能に前記固定部材が外壁材側よりその取付け孔へ挿入されていることを特徴とする外壁材固定具。
【請求項２】
請求項１の外壁材固定具と断熱材とから成り、前記断熱材は、厚さ方向に複数の固定用貫通孔を有し、各外壁材固定具が各固定用貫通孔に取り付けられ、前記断熱材の一方の面から外壁材固定具の固定部材を突出させ、他方の面に前記外壁側取付け部を露出させていることを、特徴とする固定具付き断熱材。
【請求項３】
請求項１の各外壁材固定具の前記外壁側取付け部に外壁材または外壁材取付け部材が固定されていることを、特徴とする固定具付き外壁材。
【発明の詳細な説明】
【０００１】
【発明の属する技術分野】
本発明は、外壁材固定具、固定具付き断熱材および固定具付き外壁材に関し、特に、建築物の躯体の外側で断熱材を設けるものに関する。
【０００２】
【従来の技術】
近年、建築物の断熱性能を向上させる為に、躯体の外側に断熱材を設置して、建物全体を断熱材で囲む施工が増えている。その場合、外壁材は、断熱材を貫通する長さと、外壁材及び断熱材等の荷重を支持できる断面の大きさを持つ釘、木ネジ等の金物により、断熱材の外側より断熱材をはさむ形で断熱材と共に躯体へ固定されている。
【０００３】
【発明が解決しようとする課題】
従来の施工方法では、外壁材を固定する釘、木ネジ等の金物は、断熱材を貫通するので、断熱材の厚みに対応して長い物を使用する事となり、外壁材と断熱材等の荷重を支える為に、その断面はかなり大きくなる。したがって、外壁材の固定に使用する長く太い径の釘、木ネジ等の金物の取付けは非常に困難である。また、断熱材は柔らかい為に、外壁材を固定する金物の取り付け時に凹んでしまい、それに伴い外壁材が歪むという問題点があった。さらに、断熱材は一般に柔らかい素材から成り、全体が均一な厚さでないことが多いため、断熱材の厚さに合わせて外壁材を躯体に固定すると、躯体と外壁材との間隔が場所によってまちまちになるという問題点があった。
【０００４】
本発明は、このような従来の問題点に着目してなされたもので、外壁材を容易に固定することができ、躯体との間隔を一定に保って外壁材を歪みなく一様に固定することができる外壁材固定具、固定具付き断熱材、固定具付き外壁材およびそれらを使用する施工方法を提供することを目的としている。
【０００５】
【課題を解決するための手段】
建築物の構造として、本発明に係る外壁材固定具は、断熱材に断熱材の厚さ方向に埋め込まれる形で、断熱材と共に躯体に固定される。外壁材は、外壁材固定具を介して、断熱材をはさんで躯体へ固定される事になる。施工上の各問題点は、外壁材固定具を介して外壁材を躯体へ固定する事により、外壁材の固定に普通サイズの金物が使用可能となり、長い断面の大きな金物を使用せずに施工できる、及び、断熱材に埋め込んだ外壁材固定具の形状に、断熱材の厚さの方向にある一定の寸法を設定し、外壁材固定具にスペーサー的な効果を持たせ、外壁材固定具に固定された外壁材と躯体との間隔を一様に保持する事により、外壁画材が歪まず一様な間隔で躯体に固定できることにより解決される。
【００１１】
本発明に係る外壁材固定具は、本体を建築物の躯体へ固定する為の本体の取付け面に、突出する固定部材を有し、前記本体の前記取付け面の反対面に外壁側取付け部を有し、前記外壁側取付け部は前記反対面に露出した木螺子用めねじ孔を有し、
前記本体は前記取付け面と前記反対面との間に断熱材を取付け可能な厚さを有し、
前記固定部材は本体と別体の木螺子から成り、本体に本体を貫通して本体の取付け面に垂直な取付け孔が設けられ、前記取付け孔は前記取付け面の側が前記固定部材の頭部より小さいが前記固定部材の先端側は挿入可能な内径を有し、前記反対面の側が前記固定部材の頭部を挿入可能な直径を有し、前記本体を躯体へ固定可能に前記固定部材が外壁材側よりその取付け孔へ挿入されていることを特徴とする。
【００１２】
本発明に係る外壁材固定具は、施工の際、本体の取付け孔に固定部材を挿入して、躯体に固定する。断熱材には、予め、厚さ方向に複数の固定用貫通孔を形成しておく。断熱材の各固定用貫通孔に外壁材固定具を挿入して取付け、断熱材の表面に露出した外壁側取付け部に外壁材または外壁材取付け部材を固定する。こうして、外壁材を躯体に固定することができる。
【００１５】
本発明に係る固定具付き断熱材は、本発明に係る外壁材固定具と断熱材とから成り、前記断熱材は、厚さ方向に複数の固定用貫通孔を有し、各外壁材固定具が各固定用貫通孔に取り付けられ、前記断熱材の一方の面から外壁材固定具の固定部材を突出させ、他方の面に前記外壁側取付け部を露出させていることを、特徴とする。
【００１６】
本発明に係る固定具付き断熱材は、施工の際、固定部材を躯体に固定する。固定部材が釘から成る場合には、２つの固定部材を上下方向に配列し、躯体に打ち付けて固定することが好ましい。断熱材の表面に露出した外壁側取付け部に外壁材または外壁材取付け部材を固定する。こうして、外壁材を固定することができる。本発明に係る固定具付き断熱材では、断熱材を取り付ける手間を省くことができる。
【００１７】
本発明に係る固定具付き外壁材は、本発明に係る各外壁材固定具の前記外壁側取付け部に外壁材または外壁材取付け部材が固定されていることを、特徴とする。
【００１８】
本発明に係る固定具付き外壁材では、外壁材または外壁材取付け部材を固定する手間を省くことができる。
【００２１】
本発明に係る外壁材固定具、固定具付き断熱材および固定具付き外壁材によれば、外壁材または外壁材取付け部材は外壁材固定具を介して躯体に固定されるため、外壁材または外壁材取付け部材の固定部材にかかる荷重を小さくすることができ、外壁材の取付けを容易にすることができる。また、断熱材が柔らかい素材から成る場合にも、外壁材固定具がスペーサとして外壁材または外壁材取付け部材と躯体との間隔を一定に保ち、外壁材を一様に固定することができる。
【００２２】
【発明の実施の形態】
以下、図面に基づき本発明の各種実施の形態について説明する。
図１および図２は、本発明の実施の形態の概念を示している。
図１および図２に示すように、外壁材固定具１は、本体２と２つの固定部材３と外壁側取付け部４とから成る。本体２は、断熱性で木ネジを取付け可能なプラスチックから成り、取付け面２ａが平坦で細長い形状を有している。本体２は、取付け面２ａとその反対面２ｂとの間に断熱材１０ａを取付け可能な厚さを有する。２つの固定部材３は、釘から成っている。各固定部材３は、基部３ａが本体２に埋め込まれ、先端側３ｂが本体２の取付け面２ａに垂直に突出している。躯体Ａへの外壁材固定具１の固定は、本体２をハンマーでたたき、固定部材３を躯体へ打ち込んで行う。各固定部材３は、取付け面２ａの両端側に互いに離れて位置する。外壁側取付け部４は、木螺子用めねじ孔４ａを有し、木螺子用めねじ孔４ａを反対面２ｂに露出させて、反対面２ｂに形成された凹部２ｃに固定されている。
【００２３】
固定具付き断熱材１０は、複数の外壁材固定具１と断熱材１０ａとから成る。断熱材１０ａは、厚さ方向に複数の固定用貫通孔１０ｂを有する。各外壁材固定具１は、各固定用貫通孔１０ｂに取り付けられて、断熱材１０ａの一方の面１０ｃから固定部材３を突出させ、他方の面１０ｄに外壁側取付け部４を露出させている。各外壁材固定具１の外壁側取付け部４には、外壁材または胴縁等の外壁材取付け部材１１が木螺子１２で固定される。
【００２４】
固定具付き外壁材は、複数の外壁材固定具と外壁材または外壁材取り付け部材１１とから成る。外壁材固定具は、本体の取付け面より固定部材を突出させ、前記本体の前記取付け面の反対面に外壁材又は外壁材取付け部材１１を固定されている。
なお、図３に示すように、２つの固定部材は、木螺子５から成っている。本体２は、取付け面２ａとその反対面２ｂとの間を貫通する取付け孔６を有する。取付け孔６は、取付け面２ａの側６ａが木螺子５の頭部５ａより小さいが先端側５ｂは挿入可能な内径を有し、反対面２ｂの側６ｂが木螺子５の頭部５ａを挿入可能な直径を有する。図３に示す外壁材固定具１は、外壁材または外壁材取付け部材１１の孔１１ａを通して取付け孔６にドライバーを挿入し、木螺子５の頭部５ａの切込みにドライバーの先端を差し込み、ドライバーを回転させて柱または壁などの躯体に固定することができる。木螺子５を固定した後には、取付け孔６にコーキングを充填しておくことが好ましい。なお、図３で、図１および図２と同種の部材には、同一の符号を付し、重複した説明を省略する。
【００２５】
なお、図３に示すように、２つの固定部材は、木螺子５から成ってもよい。この場合、本体２は、取付け面２ａとその反対面２ｂとの間を貫通する取付け孔６を有する。取付け孔６は、取付け面２ａの側６ａが木螺子５の頭部５ａより小さいが先端側５ｂは挿入可能な内径を有し、反対面２ｂの側６ｂが木螺子５の頭部５ａを挿入可能な直径を有する。図３に示す外壁材固定具１は、外壁材または外壁材取付け部材１１の孔１１ａを通して取付け孔６にドライバーを挿入し、木螺子５の頭部５ａの切込みにドライバーの先端を差し込み、ドライバーを回転させて柱または壁などの躯体に固定することができる。木螺子５を固定した後には、取付け孔６にコーキングを充填しておくことが好ましい。なお、図３で、図１および図２と同種の部材には、同一の符号を付し、重複した説明を省略する。
外壁材固定具１を用いた外壁材施工方法では、建築物で断熱材を施工する際、２つの固定部材３を上下方向に配列し、柱または壁などの躯体Ａに打ち付けて固定する（第１工程）。断熱材１０ａには、予め、厚さ方向に複数の固定用貫通孔１０ｂを形成しておく。外壁材固定具１は、断熱材１０ａの施工の際、固定用貫通孔１０ｂに挿入される位置に固定しておく。複数の外壁材固定具１を所定の位置に固定したならば、断熱材１０ａの各固定用貫通孔１０ｂに外壁材固定具１を挿入して、断熱材１０ａを取り付ける（第２工程）。次に、断熱材１０ａの表面に露出した外壁側取付け部４に外壁材または外壁材取付け部材１１を木螺子１２で固定する（第３工程）。こうして、断熱材１０ａを躯体Ａに固定することができる。
【００２６】
外壁材または外壁材取付け部材１１は外壁材固定具１を介して躯体Ａに固定されるため、外壁材または外壁材取付け部材１１の固定部材３にかかる荷重を小さくすることができ、断熱材１０ａの取付けを容易にすることができる。また、断熱材１０ａが柔らかい素材から成る場合にも、外壁材固定具１がスペーサとして外壁材または外壁材取付け部材１１と躯体Ａとの間隔を一定に保ち、外壁材または外壁材取付け部材１１を歪みなく一様に固定することができる。
【００２７】
次に、本発明の実施の形態の参考例について説明する。
図４は、本発明の実施の形態の参考例を示している。図４に示すように、外壁材固定具２０は、本体２１と木螺子２２と外壁側取付け部２３とから成る。本体２１は、断熱性で木ネジを取り付け可能なプラスチックから成り、取付け面２１ａが平坦で細長い形状を有している。本体２１は、取付け面２１ａを基準として肉厚部２４と肉薄部２５とを有する。肉厚部２４は、取付け面２１ａとその反対面２１ｂとの間に断熱材を取付け可能な厚さを有する。木螺子２２は、基部が本体２１に埋め込まれ、先端側が本体２１の取付け面２１ａに垂直に突出している。外壁側取付け部２３は、木螺子用めねじ孔２３ａを有し、木螺子用めねじ孔２３ａを反対面２１ｂに露出させて、反対面２１ｂに形成された凹部２１ｃに固定されている。肉薄部２５は、厚さ方向に貫通孔２６を有する。本体２１の肉厚部２４と肉薄部２５との間は接続部２７で連続しており、補強されている。
【００２８】
外壁材固定具２０は、建築物で断熱材を施工する際、本体２１を持って本体２１ごと木螺子２２を回転させて柱または壁などの躯体に固定する。次に、貫通孔２６を木螺子２２と上下方向に配列して貫通孔２６に釘または木螺子を差し込み、肉薄部２５を躯体に固定する。断熱材には、図１に示す断熱材のように、予め、厚さ方向に複数の固定用貫通孔を形成しておく。複数の外壁材固定具２０を所定の位置に固定したならば、断熱材の各固定用貫通孔に外壁材固定具２０を挿入して断熱材を取り付ける。次に、断熱材の表面に露出した外壁側取付け部２３に外壁材または外壁材取付け部材を固定する。こうして、断熱材を躯体に固定することができる。なお、外壁材固定具１の代わりに外壁材固定具２０を用いて、前述の固定具付き断熱材１０または固定具付き外壁材を構成してもよい。
【００２９】
次に、本発明の実施の形態の他の参考例について説明する。
図５は、本発明の実施の形態の他の参考例を示している。図５に示すように、外壁材固定具３０は、本体３１と固定部材３２と外壁側取付け部３３とから成る。本体３１は、断熱性で木ネジを取り付け可能なプラスチックから成り、取付け面３１ａが平坦で細長い形状を有している。本体３１は、取付け面３１ａとその反対面３１ｂとの間に断熱材を取付け可能な厚さを有する。固定部材３２は、支持部３３と基部３４とから成る。支持部３３は、取付け面２１ａに長さ方向にわたって垂直に固定されている。基部３４は、支持部３３の固定側と反対側の端部に長さ方向にわたって垂直に設けられている。支持部３３および基部３４は、断面がＴ字状をなして取付け面２１ａから突出している。外壁側取付け部３３は、木螺子用めねじ孔３３ａを有し、木螺子用めねじ孔３３ａを反対面３１ｂに露出させて、反対面３１ｂに形成された凹部３１ｃに固定されている。
【００３０】
外壁材固定具３０は、建築物で断熱材を施工する際、固定部材３２をコンクリート構造用型枠の内部に挿入してコンクリート構造用型枠の内部にコンクリートを流し込み、コンクリートを硬化させる（第１工程）。固定部材３２は、基部３４が支持部３３に垂直に設けられているため、コンクリートでしっかりと固定される。断熱材には、図１に示す断熱材のように、予め、厚さ方向に複数の固定用貫通孔を形成しておく。複数の外壁材固定具３０を所定の位置に固定したならば、断熱材の各固定用貫通孔に外壁材固定具３０の本体３１を挿入して、断熱材を取り付ける（第２工程）。次に、断熱材の表面に露出した外壁側取付け部３３に外壁材または外壁材取付け部材を固定する（第３工程）。こうして、外壁材をコンクリート構造に固定することができる。なお、外壁材固定具１の代わりに外壁材固定具３０を用いて、前述の固定具付き断熱材１０または固定具付き外壁材を構成してもよい。
【００３１】
本発明に係る外壁材固定具本体の形状は、本体の取付け面の形状が、外壁材、断熱材等の荷重を支持できる様に、荷重の方向にある程度の長さを持つ事、及び、外壁側取付け面が外壁材を固定できるある大きさを持つ事、を満足すれば、何様な形状でも良い。又、固定部材、外壁側取付け部及び固定金物１２の数、種類及び形状は、添付図面の構成に限定されるものではない。外壁材固定具本体の材質は、必要とされる荷重を支持できれば何様な物でも良い。
【００３２】
【発明の効果】
躯体の外側で断熱材を使用する建築物において、本発明に係る外壁材固定具、固定具付き断熱材および固定具付き外壁材によれば、外壁材を容易に固定することができ、躯体との間隔を一定に保って外壁材を歪みなく一様に固定することができる。
【図面の簡単な説明】
【図１】本発明の実施の形態の概念の外壁材固定具の使用状態を示す断面図である。
【図２】図１の外壁材固定具を示す斜視図である。
【図３】図１の外壁材固定具の変形例を示す断面図である。
【図４】本発明の実施の形態の参考例の外壁材固定具を示す斜視図である。
【図５】本発明の実施の形態の他の参考例の外壁材固定具を示す斜視図である。
【符号の説明】
Ａ  躯体
１  外壁材固定具
２  本体
３  固定部材
４  外壁側取付け部
１０  固定具付き断熱材
１０ａ  断熱材
１０ｂ  固定用貫通孔
１１  外壁材または外壁材取付け部材
【図１】
0004107735.tif 000002
【図２】
0004107735.tif 000003
【図３】
0004107735.tif 000004
【図４】
0004107735.tif 000005
【図５】
0004107735.tif 000006